(57)【要約】  【課題】、使用後の石鹸の乾燥が速く、高級な石鹸を有効に使用できる石鹸ケースを簡単な構造で提供できるようにする。【解決手段】  上方が開口するケース本体の開口周縁部分に索条掛止部を設け、当該索条掛止部に索条を張設することにより、ケース本体の底部から水切り用空間を形成した状態で石鹸載せ面を形成して構成した。【選択図】図１
2005237751.tif 000002
【特許請求の範囲】
【請求項１】
上方が開口するケース本体の開口周縁部分に索条掛止部を設け、当該索条掛止部に索条を張設することにより、ケース本体の底部から水切り用空間を形成した状態で石鹸載せ面を形成したことを特徴とする石鹸ケース。
【請求項２】
索条掛止部がケース本体の開口周縁部分に刻設された溝若しくは突起である請求項１に記載の石鹸ケース
【請求項３】
索条が輪ゴムである請求項１に記載の石鹸ケース
【請求項４】
索条を掛止した索条掛止部にカバーを嵌着してなる請求項１に記載の石鹸ケース。
【発明の詳細な説明】
【技術分野】
【０００１】
本発明は、浴室や洗面所等で使用した石鹸を収納する石鹸ケースに関するものである。
【背景技術】
【０００２】
近年、環境の悪化のせいもあり、肌が傷み易く敏感になっていることから、メイク落としに使用する石鹸も各自の肌に合った高級な石鹸が所謂マイソープとして選択されて使用されている。
こうした高級なマイソープは、高価であるとともに、軟らかく、水分を含み易いために使用後の保管は充分に水を切って保管する必要があった。
【０００３】
従来の石鹸ケースは、底部に水抜き用の孔が形成されたケース本体に収納するようにしている。
ところが、こうした石鹸ケースに使用後の濡れて軟らかくなっている石鹸を収納すると、この石鹸が水抜き用の孔を塞いでしまう。
水抜き用の孔が塞がれると、石鹸の乾燥が遅くなるだけでなく、飛散する水がケース本体に溜まり、この水で石鹸がふやけて軟らかくなり、型崩れして使い物にならなくなったり、水抜き穴から流出するなど有効に利用することができない等の問題があった。
【０００４】
そこで、石鹸ケースの底面から棒上突起物を植設することにより水切れを良くするようにしたものも提案されている。
ところがこうしたものでは、構造が複雑化し、高価になる上、突起物の表面をこまめに手入れをしなくてはならず想到の手間を要するとい右問題があり実用的でないという問題もあった。
【特許文献１】特開２００３−１９９６８４号公報
【発明の開示】
【発明が解決しようとする課題】
【０００５】
本発明は上記問題点に鑑みて提案されたもので、使用後の石鹸の乾燥が速く、高級な石鹸を有効に使用できる石鹸ケースを簡単な構造で提供できるようにすることを目的とするものである。
【課題を解決するための手段】
【０００６】
上記目的を達成する為に本発明に斯かる石鹸ケースは、上方が開口するケース本体の開口周縁部分に索条掛止部を設け、当該索条掛止部に索条を張設することにより、ケース本体の底部から水切り用空間を形成した状態で石鹸載せ面を形成したことを特徴とするものである。
【０００７】
また、索条掛止部をケース本体の開口周縁部分に刻設された溝若しくは突起で形成したり、索条を輪ゴムにすることや、索条を掛止した索条掛止部にカバーを嵌着するようにしたことも特徴とするものである。
【発明の効果】
【０００８】
本発明の石鹸ケースは、上方が開口するケース本体の開口周縁部分に索条掛止部を設け、当該索条掛止部に索条を張設することにより、ケース本体の底部から水切り用空間を形成した状態で石鹸載せ面を形成するようにしてあるので、石鹸載せ面に載せられた使用後の濡れた石鹸の雫や、飛散して石鹸に付着する水や水滴は水切り空間に流れ落ちる。
これにより、石鹸の乾燥が速く従来のように石鹸がふやけて軟らかくなり、使い物にならなくなったりすることもなく、高価なマイソープを有効に使用することが使用することができるという利点がある。
【０００９】
また、本発明の石鹸ケースは、上方が開口するケース本体の開口周縁部分に索条掛止部を設け、当該索条掛止部に索条を張設することにより、ケース本体の底部から水切り用空間を形成した状態で石鹸載せ面を形成するだけの簡単な構造で済み、特に、索条掛止部をケース本体の開口周縁部分に刻設された溝若しくは突起で形成する場合には、イニシャルコストを安価に実施することができる利点もある。
【００１０】
くわえて、索条を輪ゴムにする場合、特別な索条を用意しなくても済み、ランニングコストも安価にすることができるし、索条を掛止した索条掛止部にカバーを嵌着するようにしたものでは、当該溝若しくは突起部分がこのカバーで覆われるので高価なマイソープの石鹸ケースに相応しい高級感のあるものにすることができるという利点もある。
【発明を実施するための最良の形態】
【００１１】
以下、本発明にかかる石鹸ケースの好ましい実施の形成を図面に基づいて説明する。
図１は石鹸ケースの斜視図、図２は石鹸ケースの分解斜視図であり、図中符号１は石鹸ケースであり、符号２は石鹸をそれぞれ示す。
石鹸ケース１は、ケース本体３と、ケース本体３に形成された索条掛止部４と、索条掛止部４に掛止される複数の索条５・５・５・・・及び索条掛止部４を覆うカバー６とからなる。
【００１２】
上記ケース本体３は、図３及び図４に示すように上面が開口し、平面視において略長円に形成され、底部３ａの中央部分が低くなる擂鉢状に合成樹脂で形成され、下面３ｂに設置脚７を一体に突出形成したもので、上端周縁部に上記索条掛止部４が形成されている。
索条掛止部４は、外方に広がり端部が下向きに曲成されたケース本体３の上端周縁部３ｃに等間隔に溝８を形成して構成されたもので、この索条掛止部４の肉厚はケース本体３の側壁部分３ｄの肉厚より薄く形成されている。
これは後述するカバー６が此処に嵌着された時に、側壁部分３ｄの肉厚と略等しくなるようにするためである（図８参照）。
【００１３】
上記索条５は輪ゴム９で形成されており、この輪ゴム９は一般的なもの、例えばスーパーマーケットやコンビニエンスストアで商品を購入した時に包装紙等を止めるときに使用されるようなものを再利用することができる。
上記カバー６は、図５及び図６に示すように、外方に広がり端部が下向きに曲成されたケース本体３の上端周縁部３ｃに刻設の溝８からなる索条掛止部４を覆うように合成樹脂で枠状に形成されており、当該索条係止部４に外嵌する嵌合部分１０には、索条係止部４の端部３ｅに嵌合する突出部１１が形成されている。
【００１４】
上記のように形成された石鹸ケース１は、先ずケース本体３の索条掛止部４で対面する溝８間に亙って輪ゴムを掛け渡すことにより、図７に示すように上端開口部１２に輪ゴム９によるネット（石鹸載せ面）１３形成すると、底部３ａから輪ゴム８で形成されたネット１３との間に水切り用空間１４が形成された状態になる。
次に、索条掛止部４にカバー６を嵌着すると、図１に示す本発明の石鹸ケース１が完成する。
こうして完成した石鹸ケース１の輪ゴム９で形成されたネット１３に使用後の濡れた石鹸２を載せる。
すると石鹸２は図８に示すように輪ゴム９で形成されたネット１３の下方に水切り用空間１４が形成されていることから、石鹸２の水分はネット１３からケース本体３の底部３ａに流れ落ちる。
また、石鹸２の下面部分２ａは水切り空間１４を流れる空気により短時間で乾燥されるので、水分により石鹸が軟化したり、形崩れしたりするのを防止することができる。
【００１５】
尚、上記の実施例では、索条５を輪ゴム９で形成するようにしてあるが、こうしたものに限られず、その他の線条、例えばナイロンテグスや木綿糸や紐で形成することもできる。
さらに、索条係止部４は溝８に代えて突起にすることもできるし、要するに索条４を止めつけられる手段であればいずれの手段も採用することができるのは勿論のことである。
また、図に例示したケース本体３の底部３ａに水抜き穴を設けていないが、これは水抜き穴を設けたものを排除するものではないことは言うまでもないことである。
【図面の簡単な説明】
【００１６】
【図１】石鹸ケースの斜視図である。
【図２】石鹸ケースの分解斜視図である。
【図３】石鹸ケースのケース本体の平面図である。
【図４】石鹸ケースのケース本体の縦断側面図である。
【図５】石鹸ケースのカバーの平面図である。
【図６】石鹸ケースのカバーの縦断側面図である。
【図７】石鹸ケースのケース本体に索条を張設した状態の平面図である。
【図８】石鹸ケースの使用状態を示す一部切り欠き側面図である。
【符号の説明】
【００１７】
１・・・石鹸ケース
２・・・石鹸
３・・・ケース本体
４・・・索条掛止部
５・・・索条
８・・・溝
９・・・輪ゴム
１３・・・石鹸載せ面（ネット）
１４・・・水切り用空間
【図１】
2005237751.tif 000003
【図２】
2005237751.tif 000004
【図３】
2005237751.tif 000005
【図４】
2005237751.tif 000006
【図５】
2005237751.tif 000007
【図６】
2005237751.tif 000008
【図７】
2005237751.tif 000009
【図８】
2005237751.tif 000010